(57)【要約】【課題】良好な歪み特性と高効率を両立する。【解決手段】オーディオ出力回路１００は、電気音響変換素子１０２を駆動する。Ｄ級アンプ１０は、並列な複数のセグメントＳＥＧに分割される。パルス変調器３０は、オーディオ信号Ｓ１をパルス変調する。レベル検出器５０は、オーディオ信号Ｓ１の振幅を検出する。ドライバ２０は、レベル検出器５０の出力に応じて、Ｄ級アンプ１０の複数のセグメントＳＥＧを選択的に駆動する。【選択図】図２
2015198371.tif 000002
【特許請求の範囲】
【請求項１】
電気音響変換素子を駆動するオーディオ出力回路であって、
並列な複数のセグメントに分割されたＤ級アンプと、
オーディオ信号をパルス変調するパルス変調器と、
前記オーディオ信号の振幅を検出するレベル検出器と、
前記レベル検出器の出力に応じて、前記Ｄ級アンプの前記複数のセグメントを選択的に駆動するドライバと、
を備えることを特徴とするオーディオ出力回路。
【請求項２】
前記レベル検出器は、前記パルス変調器の入力信号にもとづいて前記オーディオ信号の振幅を検出することを特徴とする請求項１に記載のオーディオ出力回路。
【請求項３】
前記レベル検出器は、前記Ｄ級アンプの出力信号にもとづいて前記オーディオ信号の振幅を検出することを特徴とする請求項１に記載のオーディオ出力回路。
【請求項４】
前記レベル検出器は、前記電気音響変換素子の入力信号にもとづいて、前記オーディオ信号の振幅を検出することを特徴とする請求項１に記載のオーディオ出力回路。
【請求項５】
前記ドライバは、前記複数のセグメントに対応づけられ、それぞれが対応するセグメントを駆動するイネーブル状態と、対応するセグメントの駆動を停止するディスエーブル状態が切りかえ可能に構成された複数のサブドライバを含み、前記レベル検出器の出力に応じて、イネーブル状態のサブドライバの個数が切りかえ可能であることを特徴とする請求項１から４のいずれかに記載のオーディオ出力回路。
【請求項６】
前記パルス変調器の前段に設けられ、設定されたボリウム値に応じて、前記オーディオ信号の振幅を変化させるボリウム回路をさらに備えることを特徴とする請求項１から５のいずれかに記載のオーディオ出力回路。
【請求項７】
互いに逆極性で動作する前記Ｄ級アンプおよび前記ドライバを２セット備え、前記電気音響変換素子をＢＴＬ（Bridge Transless）駆動することを特徴とする請求項１から５のいずれかに記載のオーディオ出力回路。
【請求項８】
ひとつの半導体基板に一体集積化されることを特徴とする請求項１から７のいずれかに記載のオーディオ出力回路。
【請求項９】
負極端子が接地された電気音響変換素子と、
請求項１から６のいずれかに記載のオーディオ出力回路と、
一端が前記電気音響変換素子の正極端子と接続され、他端が接地された第１キャパシタと、
一端が前記電気音響変換素子の正極端子と接続され、他端が前記オーディオ出力回路の前記ドライバの出力端子と接続された第１インダクタと、
を備えることを特徴とする電子機器。
【請求項１０】
電気音響変換素子と、
請求項７に記載のオーディオ出力回路と、
一端が前記電気音響変換素子の正極端子と接続され、他端が接地された第１キャパシタと、
一端が前記電気音響変換素子の負極端子と接続され、他端が接地された第２キャパシタと、
一端が前記電気音響変換素子の正極端子と接続され、他端が前記オーディオ出力回路の２つのドライバの一方の出力端子と接続された第１インダクタと、
一端が前記電気音響変換素子の負極端子と接続され、他端が前記オーディオ出力回路の２つのドライバの他方の出力端子と接続された第２インダクタと、
を備えることを特徴とする電子機器。
【発明の詳細な説明】
【技術分野】
【０００１】
本発明は、スピーカやヘッドホンを駆動するオーディオ出力回路に関する。
【背景技術】
【０００２】
微弱なオーディオ信号を増幅し、スピーカやヘッドホンなどの電気音響変換素子を駆動するために、オーディオ出力回路が用いられる。図１は、Ｄ級アンプを備えるオーディオ出力回路１００ｒの構成を示す回路図である。オーディオ出力回路１００ｒは、Ｄ級アンプ１０、ドライバ２０、パルス変調器３０、アンプ４０を備える。アンプ４０は、入力されたオーディオ信号ＳＩＮを増幅する。パルス変調器３０は、アンプ４０により増幅されたオーディオ信号Ｓ１に応じたデューティ比を有するパルス幅変調されたパルス信号Ｓ２を生成する。ドライバ２０は、パルス信号Ｓ２にもとづいてＤ級アンプ１０を駆動する。
【０００３】
Ｄ級アンプ１０のハイサイドトランジスタＭＨ、ローサイドトランジスタＭＬが相補的にスイッチングすることにより、出力端子ＯＵＴから、電源電圧ＶＤＤと接地電圧ＶＧＮＤの間でスイッチングする駆動電圧ＳＯＵＴが出力される。駆動電圧ＳＯＵＴは、フィルタ１０４を介して電気音響変換素子１０２に入力される。
【先行技術文献】
【特許文献】
【０００４】
【特許文献１】特開２００１−２２３５３７号公報
【特許文献２】特開２０１３−１８７８６１号公報
【発明の概要】
【発明が解決しようとする課題】
【０００５】
本発明者らは、図１のオーディオ出力回路１００ｒの効率について検討した結果、以下の課題を認識するに至った。
Ｄ級アンプの効率ηは、以下の式で与えられる。
η＝ＰＯＵＴ／ＰＩＮ
ＰＯＵＴは負荷である電気音響変換素子１０２に供給される電力であり、ＰＩＮはオーディオ出力回路１００に投入される電力である。ＰＩＮは、以下の式で与えられる。
ＰＩＮ＝ＰＳＷ＋ＰＳＨＴ＋ＰＯＮ＋ＰＯＵＴ
ＰＳＷ：スイッチング損失
ＰＳＨＴ：ショートスルー損失
ＰＯＮ：オン抵抗による損失
【０００６】
スイッチング損失ＰＳＷは、Ｄ級アンプ１０のハイサイドトランジスタＭＨおよびローサイドトランジスタＭＬをスイッチングするために必要な電力であり、具体的にはゲート容量ＣＧを充放電するのに要する電力である。したがってスイッチング損失ＰＳＷは、ゲート容量ＣＧが大きくなるほど、言い換えればトランジスタサイズが大きくなるほど、支配的となる。
【０００７】
オーディオ出力回路１００ｒにおいては、最大出力時においても良好な歪み特性が得られるように、Ｄ級アンプのトランジスタサイズが決定される。スイッチング損失ＰＳＷは、Ｄ級アンプの出力電力ＰＯＵＴの大小にかかわらず一定となることから、ＰＯＵＴが小さな領域においては、ＰＩＮに占めるＰＳＷが支配的となり、効率が低下するという問題がある。
【０００８】
特にオーディオ出力回路１００ｒが最大出力で使用されることは稀であり、実使用においては、中低出力で使用され、あるいは無音状態となる時間が長くなることから、低出力時における効率ηを改善することが低消費電力化のために有効となる。
【０００９】
本発明はかかる課題に鑑みてなされたものであり、そのある態様の例示的な目的のひとつは、良好な歪み特性と高効率を両立したオーディオ出力回路の提供にある。
【課題を解決するための手段】
【００１０】
本発明のある態様は、電気音響変換素子を駆動するオーディオ出力回路に関する。オーディオ出力回路は、並列な複数のセグメントに分割されたＤ級アンプと、オーディオ信号をパルス変調するパルス変調器と、オーディオ信号の振幅を検出するレベル検出器と、レベル検出器の出力に応じて、Ｄ級アンプの複数のセグメントを選択的に駆動するドライバと、を備える。
【００１１】
この態様によると、低出力時にはＤ級アンプの有効なセグメント数を減らすことによりゲート容量を減らすことができ、これによりスイッチング損失が低減される。その結果、低出力時には効率を改善し、大出力時には、Ｄ級アンプの有効なセグメント数を増やして電流容量を増大することにより、良好な歪み特性を実現できる。
【００１２】
レベル検出器は、パルス変調器の入力信号にもとづいてオーディオ信号の振幅を検出してもよい。
【００１３】
レベル検出器は、Ｄ級アンプの出力信号にもとづいてオーディオ信号の振幅を検出してもよい。
【００１４】
レベル検出器は、電気音響変換素子の入力信号にもとづいて、オーディオ信号の振幅を検出してもよい。
【００１５】
ドライバは、複数のセグメントに対応づけられ、それぞれが対応するセグメントを駆動するイネーブル状態と、対応するセグメントの駆動を停止するディスエーブル状態が切りかえ可能に構成された複数のサブドライバを含み、レベル検出器の出力に応じて、イネーブル状態のサブドライバの個数が切りかえ可能であってもよい。
【００１６】
ある態様のオーディオ出力回路は、パルス変調器の前段に設けられ、設定されたボリウム値に応じて、オーディオ信号の振幅を変化させるボリウム回路をさらに備えてもよい。
【００１７】
ある態様のオーディオ出力回路は、互いに逆極性で動作するＤ級アンプおよびドライバを２セット備え、電気音響変換素子をＢＴＬ（Bridge Transless）駆動してもよい。
【００１８】
オーディオ出力回路は、ひとつの半導体基板に一体集積化されてもよい。
「一体集積化」とは、回路の構成要素のすべてが半導体基板上に形成される場合や、回路の主要構成要素が一体集積化される場合が含まれ、回路定数の調節用に一部の抵抗やキャパシタなどが半導体基板の外部に設けられていてもよい。
回路を１つのＩＣとして集積化することにより、回路面積を削減することができるとともに、回路素子の特性を均一に保つことができる。
【００１９】
本発明の別の態様は電子機器に関する。電子機器は、負極端子が接地された電気音響変換素子と、上述のいずれかのオーディオ出力回路と、一端が電気音響変換素子の正極端子と接続され、他端が接地された第１キャパシタと、一端が電気音響変換素子の正極端子と接続され、他端がオーディオ出力回路のドライバの出力端子と接続された第１インダクタと、を備えてもよい。
【００２０】
本発明の別の態様も電子機器に関する。電子機器は、電気音響変換素子と、上述のいずれかのオーディオ出力回路と、一端が電気音響変換素子の正極端子と接続され、他端が接地された第１キャパシタと、一端が電気音響変換素子の負極端子と接続され、他端が接地された第２キャパシタと、一端が電気音響変換素子の正極端子と接続され、他端がオーディオ出力回路の２つのドライバの一方の出力端子と接続された第１インダクタと、一端が電気音響変換素子の負極端子と接続され、他端がオーディオ出力回路の２つのドライバの他方の出力端子と接続された第２インダクタと、を備えてもよい。
【００２１】
なお、以上の構成要素の任意の組み合わせ、本発明の表現を、方法、装置などの間で変換したものもまた、本発明の態様として有効である。
【発明の効果】
【００２２】
本発明によれば、良好な歪み特性と高効率を両立できる。
【図面の簡単な説明】
【００２３】
【図１】Ｄ級アンプを備えるオーディオ出力回路の構成を示す回路図である。
【図２】実施の形態に係るオーディオ出力回路の回路図である。
【図３】図２のオーディオ出力回路の動作波形図である。
【図４】第１変形例に係るオーディオ出力回路の回路図である。
【図５】第２変形例に係るオーディオ出力回路の回路図である。
【図６】第３変形例に係るオーディオ出力回路の回路図である。
【図７】オーディオ出力回路を備える電子機器を示す回路図である。
【図８】図８（ａ）〜（ｃ）は、電子機器の外観図である。
【発明を実施するための形態】
【００２４】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２５】
本明細書において、「部材Ａが、部材Ｂと接続された状態」とは、部材Ａと部材Ｂが物理的に直接的に接続される場合や、部材Ａと部材Ｂが、電気的な接続状態に影響を及ぼさない他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、電気的な接続状態に影響を及ぼさない他の部材を介して間接的に接続される場合も含む。
【００２６】
図２は、実施の形態に係るオーディオ出力回路１００の回路図である。オーディオ出力回路１００は、Ｄ級アンプ１０、ドライバ２０、パルス変調器３０、アンプ４０、レベル検出器５０を備え、ひとつの半導体基板に一体集積化された機能ＩＣ（Integrated Circuit）である。オーディオ出力回路１００は、いわゆるスイッチングアンプであって、オーディオ信号にもとづいて電気音響変換素子であるスピーカ１０２を駆動する。スピーカ１０２に代えてヘッドホンを駆動対象としてもよい。
【００２７】
Ｄ級アンプ１０は、並列な複数Ｎ個（Ｎ≧２）のセグメントＳＥＧに分割される。本実施の形態ではＮ＝２とするが、セグメント数は特に限定されない。
アンプ４０は、オーディオ信号ＳＩＮを増幅する。たとえばアンプ４０は利得が、ユーザが設定したボリウム値に応じて可変に構成されたボリウム回路である。図２には、差動形式のオーディオ信号ＳＩＮが示されるが、シングルエンド形式であってもよい。
【００２８】
パルス変調器３０は、オーディオ信号Ｓ１をパルス変調する。たとえばパルス変調器３０はパルス幅変調器であり、所定の周波数を有し、かつオーディオ信号Ｓ１に応じたパルス幅、すなわちデューティ比を有するパルス信号Ｓ２を生成する。パルス変調器３０は、
三角波あるいはのこぎり波をオーディオ信号Ｓ１のレベルでスライスするアナログのパルス幅変調器であってもよいし、デジタルのパルス幅変調器であってもよい。またパルス幅変調に代えて、ΔΣ変調などを行ってもよい。
【００２９】
レベル検出器５０は、再生すべきオーディオ信号の振幅を検出する。本実施の形態では、レベル検出器５０は、アンプ４０の出力でありパルス変調器３０の入力であるオーディオ信号Ｓ１の振幅レベルを検出する。
【００３０】
ドライバ２０は、レベル検出器５０の出力に応じて、Ｄ級アンプ１０の複数のセグメントＳＥＧ１、ＳＥＧ２を選択的に駆動する。すなわちレベル検出器５０が検出した振幅レベルが所定のしきい値より大きいとき、ドライバ２０は２つのセグメントＳＥＧ１、ＳＥＧ２を両方駆動する。レベル検出器５０が検出した振幅レベルがしきい値より小さいとき、ドライバ２０は一方のセグメントＳＥＧ１のみを駆動する。
【００３１】
ドライバ２０は、複数のサブドライバ２２を備える。複数のサブドライバ２２は、複数のセグメントＳＥＧと対応づけられる。サブドライバ２２は、イネーブル状態とディスエーブル状態が切りかえ可能であり、ｉ番目のサブドライバ２２は、イネーブル状態において対応するセグメントＳＥＧｉを駆動し、ディスエーブル状態において対応するセグメントＳＥＧｉのスイッチングを停止する。ドライバ２０は、レベル検出器５０の出力に応じて、イネーブル状態となるサブドライバ２２の個数が切りかえ可能となっている。
【００３２】
たとえばサブドライバ２２はそれぞれ、レベル検出器５０からのイネーブル信号を受けるイネーブル端子ＥＮを備え、イネーブル端子ＥＮにハイレベルが入力されるときイネーブル状態、ローレベルが入力されるときディスイネーブル状態となってもよい。レベル検出器５０は、オーディオ信号の振幅レベルがしきい値より大きいとき、両方のイネーブル信号ＥＮ１、ＥＮ２をハイレベルとし、オーディオ信号の振幅レベルがしきい値より小さいとき、一方のイネーブル信号ＥＮをローレベル、他方をハイレベルとしてもよい。
【００３３】
なお、複数のサブドライバ２２を選択的にオン、オフさせる手法はこれには限定されない。
【００３４】
以上がオーディオ出力回路１００の構成である。続いてその動作を説明する。
図３は、図２のオーディオ出力回路１００の動作波形図である。
時刻ｔ１以前は、ボリウムの設定値が大きく、オーディオ信号Ｓ１の振幅がしきい値ＳＴＨより大きくなっている。このときレベル検出器５０は、イネーブル信号ＥＮ１、ＥＮ２を両方ハイレベルとし、サブドライバ２２＿１、２２＿２をイネーブル状態とする。この状態ではドライバ２０の実効的なトランジスタサイズが大きくなり、電流容量が大きくなる。したがって低歪みで高音質なオーディオ再生が可能となる。
【００３５】
時刻ｔ１以降は、ボリウム設定値が小さくなり、オーディオ信号Ｓ１の振幅がしきい値ＳＴＨより小さくなる。このときレベル検出器５０は、イネーブル信号ＥＮ１のハイレベル、イネーブル信号ＥＮ２をローレベルとすて、サブドライバ２２＿１のみをイネーブル状態とする。この状態ではドライバ２０の実効的なトランジスタサイズが小さくなり、スイッチング損失ＰＳＷが低減される。その結果、小音量再生時における効率を改善することができる。
【００３６】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００３７】
（第１変形例）
図４は、第１変形例に係るオーディオ出力回路１００ａの回路図である。この変形例では、レベル検出器５０ａは、Ｄ級アンプ１０の出力信号ＳＳＷにもとづいてオーディオ信号の振幅を検出する。出力信号ＳＳＷはパルス変調された信号であるから、そのデューティ比がオーディオ信号Ｓ１の振幅を表すことになる。たとえばレベル検出器５０ａは、パルス信号ＳＳＷを平滑化するローパスフィルタを含み、ローパスフィルタの出力にもとづいてオーディオ信号Ｓ１の振幅を検出してもよい。
【００３８】
あるいは、レベル検出器５０ａは、パルス変調器３０の出力Ｓ２、あるいはハイサイドトランジスタＭＨ、ローサイドトランジスタＭＬそれぞれのゲート駆動信号にもとづいて、オーディオ信号Ｓ１の振幅を検出してもよい。
【００３９】
（第２変形例）
図５は、第２変形例に係るオーディオ出力回路１００ｂの回路図である。
レベル検出器５０ｂは、電気音響変換素子１０２の入力信号ＳＯＵＴにもとづいて、オーディオ信号Ｓ１の振幅を検出する。この変形例では、入力信号ＳＯＵＴを受けるための追加の端子ＳＥＮが必要となるが、電気音響変換素子１０２の入力信号は、再生中のオーディオ信号の振幅が最も正確に現れていることから、振幅検出の精度を高めることができる。
【００４０】
（第３変形例）
図６は、第３変形例に係るオーディオ出力回路１００ｃの回路図である。オーディオ出力回路１００ｃは、Ｄ級アンプ１０およびドライバ２０を２セット備える。第１のセット１０ｐ、２０ｐと第２のセット１０ｎ、２０ｎは、互いに逆極性で動作し、スピーカ１０２をＢＴＬ（Bridge Transless）駆動する。Ｄ級アンプ１０ｐ、１０ｎはそれぞれ、実施の形態と同様に複数のセグメントＳＥＧに分割されている。ドライバ２０ｐは、Ｄ級アンプ１０ｐの複数のセグメントを選択的に駆動可能であり、ドライバ２０ｎは、Ｄ級アンプ１０ｎの複数のセグメントを選択的に駆動可能である。レベル検出器５０ｃは、オーディオ信号Ｓ１の振幅レベルに応じて、Ｄ級アンプ１０ｐ、２０ｎそれぞれの有効なセグメント数を制御する。フィルタ１０４ｐのインダクタＬ１と、フィルタ１０４ｎのインダクタＬ２は、コモンモードチョークコイルであってもよい。
【００４１】
この変形例によっても、実施の形態と同様の効果を得ることができる。
【００４２】
（第４変形例）
実施の形態では、パルス変調器３０の入力信号Ｓ２がアナログ信号である場合を説明したが、パルス変調器３０の入力信号はデジタルオーディオ信号であってもよい。
【００４３】
（用途）
最後に、オーディオ出力回路１００のアプリケーションを説明する。図７は、オーディオ出力回路１００を備える電子機器１を示す回路図である。
【００４４】
電子機器１は、オーディオＩＣ２００、スピーカ１０２、フィルタ１０４、ＣＰＵ４、音源６を備える。フィルタ１０４には、コモンモードチョークコイル１１０が使用される。またスピーカ１０２はＢＴＬ駆動される。またオーディオ出力回路１００の入力はデジタル形式となっている。
【００４５】
音源６とオーディオＩＣ２００は、Ｉ２Ｓバスなどの有線で接続され、あるいはBluetooth（登録商標）などの無線で接続される。またＣＰＵ４とオーディオＩＣ２００のＩ／Ｏ端子ＩＯ１は、Ｉ２Ｃバスなどを介して接続される。音源６は、デジタルのオーディオデータＤ１を生成する。
【００４６】
オーディオＩＣ２００は、オーディオ出力回路１００に加えて、その前段に設けられたＤＳＰ（Digital Sound Processor）１５０と、オーディオインタフェース回路１６６を備え、ひとつの半導体基板に一体集積化された機能ＩＣである。オーディオインタフェース回路１６６は、音源６からのオーディオデータＤ１を受け、オーディオ信号ＳＩＮをＤＳＰ１５０に出力する。
【００４７】
ＤＳＰ１５０は、オーディオ信号ＳＩＮに対してさまざまな信号処理を施す。たとえばＤＳＰ１５０は、イコライザ１５２、バスブースト回路１５４、ボリウム回路１５６、サラウンド回路１５８、ステレオ・モノラル変換回路１６０、プリスケーラ１６２、レベルメータ１６４の少なくともひとつを備える。
【００４８】
イコライザ１５２は、オーディオ信号ＳＩＮに対してイコライジング処理を行う。バスブースト回路１５４は、オーディオ信号ＳＩＮに対して低域強調処理を行う。ボリウム回路１５６の音量を調節する。サラウンド回路１５８は、オーディオ信号ＳＩＮに対してサラウンド処理を行う。ステレオ・モノラル変換回路１６０は、オーディオ信号ＳＩＮに対してステレオ変換、モノラル変換を行う。プリスケーラ１６２は、オーディオ信号ＳＩＮの周波数変換を行う。レベルメータ１６４は、オーディオ信号Ｓ１のレベルを検出する。各ユニットは個別にオンオフが切りかえ可能であり、また処理順序も任意に設定可能である。このレベルメータ１６４に、実施の形態におけるレベル検出器５０の機能をもたせてもよい。
【００４９】
ＤＳＰ１５０とパルス変調器３０の間には、Ｄ／Ａコンバータが挿入されてもよい。この場合、オーディオ出力回路１００の入力はアナログ信号となる。
【００５０】
インタフェース回路１６８は、ＣＰＵ４からボリウム設定値などのデータを受信する。ＤＳＰ１５０の動作パラメータは、ＣＰＵ４から設定可能となっている。
【００５１】
図８（ａ）〜（ｃ）は、電子機器１の外観図である。図８（ａ）は電子機器１の一例であるディスプレイ装置６００である。ディスプレイ装置６００は、筐体６０２、スピーカ１０２を備える。オーディオ出力回路１００は筐体に内蔵され、スピーカ１０２を駆動する。
【００５２】
図８（ｂ）は電子機器１の一例であるオーディオコンポ７００である。オーディオコンポ７００は、筐体７０２、スピーカ１０２を備える。オーディオ出力回路１００は筐体７０２に内蔵され、スピーカ１０２を駆動する。
【００５３】
図８（ｃ）は電子機器１の一例である小型情報端末８００である。小型情報端末８００は、携帯電話、ＰＨＳ（Personal Handy-phone System）、ＰＤＡ（Personal Digital Assistant）、タブレットＰＣ（Personal Computer）、オーディオプレイヤなどである。小型情報端末８００は、筐体８０２、スピーカ１０２、ディスプレイ８０４を備える。オーディオ出力回路１００は筐体８０２に内蔵され、スピーカ１０２を駆動する。
【符号の説明】
【００５４】
１…電子機器、４…ＣＰＵ、６…音源、１００…オーディオ出力回路、１０２…スピーカ、１０４…フィルタ、１０…Ｄ級アンプ、２０…ドライバ、２２…サブドライバ、３０…パルス変調器、４０…アンプ、５０…レベル検出器、１５０…ＤＳＰ、２００…オーディオＩＣ。
【図１】
2015198371.tif 000003
【図２】
2015198371.tif 000004
【図３】
2015198371.tif 000005
【図４】
2015198371.tif 000006
【図５】
2015198371.tif 000007
【図６】
2015198371.tif 000008
【図７】
2015198371.tif 000009
【図８】
2015198371.tif 000010